(57)【要約】【課題】フットスイッチの接続を前提とし、制御デバイスの誤動作や破損及び高周波ノイズの放射を防止できる操作パネルを提供する。【解決手段】各種動作を開始するためのスタートスッチ２１と並列にフットスイッチ２２を接続する操作パネルにおいて、フットスイッチ接続ラインに保護素子２３を設けた。【選択図】        図２
2005038680.tif 000002
【特許請求の範囲】
【請求項１】
各種動作を開始するためのスタートスッチと並列にフットスイッチを接続する操作パネルにおいて、前記フットスイッチの接続ラインに保護素子を設けたことを特徴とする操作パネル。
【請求項２】
前記保護素子は、バリスタ内蔵のＥＭＩフィルタであることを特徴とする請求項１に記載の操作パネル。
【請求項３】
前記保護素子は、ＥＭＩフィルタとサージ吸収ダイオードにより構成されることを特徴とする請求項１に記載の操作パネル。
【発明の詳細な説明】
【０００１】
【発明の属する技術分野】
本発明は、フットスイッチが接続可能な操作パネルに関し、特にその制御回路構成に関するものである。本発明の操作パネルは画像形成装置に適用するのに好適である。
【０００２】
【従来の技術】
複合型画像形成装置の一機能であるコピー機能使用時、原稿台よりも大きい原稿の一部をコピーする場合、両手で原稿を押さえる必要がある。原稿の大きさや重さによっては手を離すことができなかったり、スタートキーが原稿に隠れてしまい押せない場合がある。そのためのオプションとしてスタートキーと並列に接続することにより、機能を代用する足踏み式のフットスイッチが用意されていることが多い。
図６はフットスイッチの外観図であり、（１）は上面図、（２）は正面図である。フットスイッチ２２は内部にタクトスイッチ等のスイッチがあり、これを可動可能な上部の部材が足等で押下することによりＯＮする構造となっている。
図７は操作パネルのレイアウト図、図８はスタートスイッチの構成図である。図７に示すように、操作パネル上には後述するスタートトスイッチ（スタートキー）２１のほか周知の多数のスイッチ（キー）とやはり後述するタッチパネル７が設けられる。図８に示すようにスタートスイッチ２１は、後述する操作部制御板１上に設けられたタクトスイッチ３１をそのキートップで押圧してＯＮする構造となっている。
フットスイッチ２２は、スタートスイッチ２１と並列に接続されることが一般的で、接続用のコネクタやはんだ付け用ランドが操作部制御板１に設けられている。フットスイッチ２２が必要な場合は、これらの所にサービスマンまたはエンドユーザがフットスイッチ２２を接続して使用することとなる。
【０００３】
【発明が解決しようとする課題】
フットスイッチは、例えば画像形成装置の操作パネルの基板（操作部制御板）に接続されるため、そのケーブルは１〜２ｍ程度と長くなる。そのため、使用される場所によっては周囲のノイズがケーブルに誘導されることがあり、そのレベルによってはキーデータを取得している制御ＬＳＩのラッチアップを引き起こし、誤動作や最悪の場合破損を引き起こす可能性がある。また、制御回路からの輻射ノイズがケーブルをアンテナとして外部に放射される可能性があった。
本発明は、フットスイッチの接続を前提とし、制御デバイスの誤動作や破損及び高周波ノイズの放射を防止できる操作パネルを提供することを目的とするものである。
【０００４】
【課題を解決するための手段】
上記目的を龍正するために、請求項１記載の発明では、各種動作を開始するためのスタートスッチと並列にフットスイッチを接続する操作パネルにおいて、前記フットスイッチの接続ラインに保護素子を設けた操作パネルを最も主要な特徴とする。
請求項２記載の発明では、前記保護素子は、バリスタ内蔵のＥＭＩフィルタである請求項１に記載の操作パネルを主要な特徴とする。
請求項３記載の発明では、前記保護素子は、ＥＭＩフィルタとサージ吸収ダイオードにより構成される請求項１に記載の操作パネルを主要な特徴とする。
【０００５】
【発明の実施の形態】
以下、図面により本発明の実施の形態を詳細に説明する。
図１は本発明の実施の形態に係る操作パネルの制御ブロック図である。操作部制御板１には１チップマイコン（ＣＰＵ）２が使用され、このＣＰＵ２は内蔵の通信機能によりシステムコントローラ３と接続されている。ＣＰＵバスには、制御プログラムやデータを格納するＲＯＭ４、処理データの一時的な保存や加工を行うためのワークＲＡＭ５、ＬＣＤ６の表示制御とタッチパネル７の駆動を制御するＬＣＤ／タッチパネルコントローラ８が接続される。
ＬＣＤ／タッチパネルコントローラ８には、ＬＣＤ６の表示データを格納するＶＲＡＭ９が接続され、表示データはＶＲＡＭ９から逐次読み出しＬＣＤ６へ送られる。タッチパネル７は、アナログ式を使用することが多く、ＬＣＤ／タッチパネルコントローラ８のポートデータによりドライバ１０を介してタッチパネル７のバイアス制御を行い、押下座標データはＣＰＵ２のアナログポートで検出するようになっている。
ＬＥＤマトリクス１１やキーマトリクス１２は操作部制御板１とは別の基板に搭載されており、ＣＰＵ２の汎用ポートに接続されている。ＬＥＤ及びは個数が多いため、ポート数削減のためそれぞれスキャンマトリクスで構成されて、点灯制御や入力データの処理を行っている。また、リセット回路１３では制御回路の電源電圧を監視し、ＣＰＵ２やＬＣＤ／タッチパネルコントローラ８に対して初期化のためのリセット信号を生成し供給している。ＬＥＤ及びキー数がポート数よりも少ない場合は、スキャンマトリクスではなく、ポートと１体１で接続しても良い。
【０００６】
図２はキーマトリクスの回路図である。このマトリスクは、スキャンライン数ｎ、データ数ｍで構成されているため、キーの最大数はｎ×ｍ個となる。スキャンラインはドライブトランジスタＱ１〜Ｑｎを時分割駆動しており、各スキャンラインがＯＮのタイミングでデータを読むことにより、所望のキーの状態を知ることができる。
例えば、スタートスイッチ２１は、ＣＯＭ１とＤＡＴＡｍ間に設置されているため、ＳＣＡＮ０を“Ｈ”レベルに駆動（ＣＯＭ１はＧＮＤレベルに落ちる）している期間にＫＥＹ  ＤＡＴＡｍを読み出すことで状態が判る。この時、ＤＡＴＡｍのレベルが“Ｈ”ならＯＦＦ、“Ｌ”ならＯＮである。
フットスイッチ２２は、このスタートスイッチ２１に並列に接続されるため、操作部制御板１上には接続用コネクタまたははんだ付け用ランドまで配線パターンが形成される。キーマトリクス１２はパネル内部に設けられるため、その信号は直接制御ＬＳＩ（ＣＰＵなど）に接続されている。これらのＬＳＩは、ＣＭＯＳデバイスであるため、電源電圧よりも高いレベルの信号が入力されると、ラッチアップを引き起こし、誤動作や、最悪の場合破損することがある。
本発明ではフットスイッチ２２と接続される部分に、外部からの誘導ノイズを遮断するために保護素子２３を設けている。また、フットスイッチ２２が接続された場合、非常に長いアンテナとなるため、内部の高周波信号が外部に放射されることがある。そのため保護素子２３にはＥＭＩフィルタの機能も付加される。
スキャンマトリックス方式では、図２のように保護素子２３は、フットスイッチ２２の両方のラインに設けられるが、図３のようにフットスイッチ２２とポートが１対１で接続される方式では、フットスイッチ２２の一方の端子がＧＮＤに接続されるため、保護素子２２はデータライン側のみで良い。
【０００７】
図４は保護素子にフェライトビーズが付加されたバリスタ機能付きコンデンサを使用した例を示す図である。外部からの誘導ノイズは、バリスタによりＧＮＤレベルに流されるため、制御ＬＳＩにノイズが伝わらず、ＬＳＩの破損を有効に防止できる。また、フェライトビーズにより内部の高周波信号は遮断されるため、外部に放射されることがなくなる。
不要輻射が問題ないレベルの場合は、ＥＭＩフィルタの能力は低くても良いため、バリスタ機能付きコンデンサだけを有したフィルタを使用しても良い。この方式は複数の機能が単一部品で実現できるため、実装面積が少なくて済む。
図５は保護素子に不要輻射除去用のＥＭＩフィルタ（ＦＩＬ）と外部からの誘導ノイズを除去するためのサージ吸収ダイオード（Ｄ）を組み合わせた場合の例を示す図である。この方式は、必要な機能を部品の実装／非実装で選択できることや、例えばサージ吸収性能機能を固定した上でＥＭＩフィルタの定数設定が自由に行えるなど、回路の最適化が行いやすいのが特徴である。
【０００８】
【発明の効果】
以上説明したように、請求項１によれば、フットスイッチ接続ラインに、外来ノイズの吸収と不要輻射を防止する保護素子を付加することにより、フットスイッチを接続した場合でも制御デバイスの誤動作や破損及び高周波ノイズの放射を防止できる。
請求項２によれば、保護素子に、バリスタ機能付きコンデンサ等のデバイスを使用することにより、最小の実装面積でＬＳＩ保護及び不要輻射の防止を図ることができる。
請求項３によれば、外来ノイズ吸収用デバイスとＥＭＩフィルタを別素子とすることにより、双方に最適な定数の選択を行うことができる。
【図面の簡単な説明】
【図１】本発明の実施の形態に係る操作パネルの制御ブロック図。
【図２】キーマトリクスの回路図。
【図３】保護素子をデータライン側にのみ接続した例を示す図。
【図４】保護素子の第１の具体例を示す図。
【図５】保護素子の第２の具体例を示す図。
【図６】フットスイッチの外観図。
【図７】操作パネルのレイアウト図。
【図８】スタートスイッチの構成図。
【符号の説明】
２１  スタートスイッチ
２２  フットスイッチ
２３  保護素子
【図１】
2005038680.tif 000003
【図２】
2005038680.tif 000004
【図３】
2005038680.tif 000005
【図４】
2005038680.tif 000006
【図５】
2005038680.tif 000007
【図６】
2005038680.tif 000008
【図７】
2005038680.tif 000009
【図８】
2005038680.tif 000010